(57)【要約】      （修正有）【課題】カートリッジケースの開口部から単一リールに巻装した磁気テープを引き出すように走行させる際のテープ高さ方向の振れを規制して走行の安定化を図る。【解決手段】磁気テープ２０を巻装した単一のリール４を回転可能にカートリッジケース７に収容し、その開口部２６から磁気テープ２０を引き出して走行させるについて、磁気テープ２０の側辺に接触可能なテープ高さ規制手段３０を、上ケース及び下ケース３に設けられ、磁気テープ２０の先端に固着したリーダ手段を保持するロック用部材２９の取り付けボスを兼ねたテープ高さ規制ボス３２，３３で形成してなる。【選択図】図４
2007265610.tif 000002
【特許請求の範囲】
【請求項１】
下ケース及び該下ケースの上部に重ね合わせる上ケースにより、磁気テープを巻装した単一のリールを回転可能に収容するカートリッジケースを備え、該カートリッジケースに前記磁気テープを引き出すための開口部が設けられた磁気テープカートリッジにおいて、
少なくともその一部が前記開口部近傍のテープ走行領域にかかるテープ高さ規制手段を、前記上ケースおよび下ケースに設けられ、前記磁気テープの先端に固着されたリーダ手段を保持するロック用部材の取り付けボスを兼ねたテープ高さ規制ボスで形成したことを特徴とする磁気テープカートリッジ。
【発明の詳細な説明】
【技術分野】
【０００１】
本発明は、磁気テープカートリッジに関し、特にカートリッジケース内に磁気テープが巻装された単一のリールを回転可能に収容し、このカートリッジケースの一部に磁気テープを引き出すための開口部を設けてなる磁気テープカートリッジにおいて、上記磁気テープの高さ方向（幅方向）の振れを規制する構造に関するものである。
【背景技術】
【０００２】
従来、コンピュータ等の外部記憶装置に用いられる記録媒体として使用されている磁気テープカートリッジには、単一のリールに磁気テープを巻装し、このリールをカートリッジケース内に回転可能に収容したタイプのものが知られている。この磁気テープはコンピュータ等のデータ保存用として用いられ、重要な情報が記憶されているため、テープジャミング等のトラブルが発生しないように、また不用意に磁気テープが引き出されないように構成されている。
【０００３】
また、上記リールに巻装した磁気テープの先端にはリーダ手段（リーダピン、リーダテープ、リーダブロック等）が設けられ、このリーダ手段を記録再生装置側で開口部を通してカートリッジケースから引き出して磁気テープの巻き取り又は巻き戻しを行うようにドライブ装置が構成される。
【０００４】
しかして、上記のような磁気テープカートリッジでは、磁気テープを所定の走行経路に沿って引き出し又は巻き取る際に、テープ走行の高さ方向に磁気テープが振れて走行が不安定となる恐れがある。
【０００５】
特に、リールに磁気テープが全部巻き取られた状態においては、リールの回転に伴う振れが大きくなり、その影響により磁気テープの振れも大きくなる傾向がある。また、磁気テープが緩んだ状態でも高さ方向の振れが大きくなり、このテープ振れが過大となった場合に各種弊害が発生することになり、信頼性の低下を招く可能性がある。
【０００６】
磁気テープの走行時の上下動を抑えてテープ走行の安定性を得る手段としては、例えば、オーディオカセットのようにガイドローラ自体に上下方向の規制フランジを設けたもの、ＶＨＳテープカートリッジのようにガイドローラと固定ガイドの垂直度を良好に保ってテープの上下動を抑えるもの、又は、８ｍｍテープカートリッジのようにテープ導出口のテープパス規制ボスの下端部に連設してカートリッジ前端縁にテープ高さ規制リブを設けたものなどが知られている（特許文献１参照）。
【特許文献１】特公昭６３−１６８３４号公報
【発明の開示】
【発明が解決しようとする課題】
【０００７】
しかし、本発明が対象とする単一リールタイプの磁気テープカートリッジでは、テープの走行を案内する金属筒、ローラ、走行規制ボス等を有していないと共に、前述のように磁気テープ端を記録再生装置側へ引き出す手段として、このテープ端にリーダ手段を備え、その引き出し及び挿入のためにカートリッジケースには上下高さ一杯に開口部を設けているものであり、この開口部の前端縁にリーダ手段の移動と干渉しないように前述のようなテープ走行を規制する部材を設けることは困難である。
【０００８】
本発明は上記点に鑑みなされたもので、単一リールに巻装した磁気テープの走行における高さ方向の振れが規制できるようにした磁気テープカートリッジを提供することを目的とするものである
【課題を解決するための手段】
【０００９】
本発明の磁気テープカートリッジは、下ケース及び該下ケースの上部に重ね合わせる上ケースにより、磁気テープを巻装した単一のリールを回転可能に収容するカートリッジケースを備え、該カートリッジケースに前記磁気テープを引き出すための開口部が設けられ、少なくともその一部が前記開口部近傍のテープ走行領域にかかるテープ高さ規制手段を、前記上ケースおよび下ケースに設けられ、前記磁気テープの先端に固着されたリーダ手段を保持するロック用部材の取り付けボスを兼ねたテープ高さ規制ボスで形成したことを特徴とするものである。
【００１０】
前記テープ高さ規制手段は、必ずしもテープ走行領域の全体に渡って設ける必要はなく、リールに一杯に磁気テープが巻き取られた状態においてリールの振れが大きくテープ振れも大きくなりやすいことから、リールの最大径近傍にまで磁気テープが巻き取られたときのテープ走行経路近傍つまりカートリッジ側壁に近い部分にテープ高さ規制手段を設けるのがよい。
【発明の効果】
【００１１】
上記のような本発明によれば、基本的に、カートリッジケースの開口部近傍のテープ走行領域にテープ高さ規制手段を上下ケースに設けたことにより、リールの回転振れ等によって磁気テープに振れが発生しても、この磁気テープの側辺に前記テープ高さ規制手段が接触してその振れを規制して抑制することができ、テープ走行の安定化が図れる。
【００１２】
また、本発明ではテープ高さ規制手段をリーダ手段のロック用部材の取り付けボスと一体化したために、その兼用構造により簡素化が図れる。
【発明を実施するための最良の形態】
【００１３】
以下、図面に示す実施の形態に基づいて本発明を詳細に説明する。は一つの実施の形態の磁気テープカートリッジの分解斜視図である。
【００１４】
磁気テープカートリッジ１は、下リール５と上リール６とを超音波溶着により結合した単一のリール４に磁気テープ２０を巻装し、上ケース２と下ケース３とがビス等により締結されてなるカートリッジケース７内に、上記リール４を回動可能に収容して構成されている。
【００１５】
下リール５は外周に磁気テープ２０が巻回される円筒状のリールハブ２３と、リールハブ２３の下端外周から径方向に張り出したフランジ部２４とを合成樹脂により一体成型したもので、リールハブ２３の底部外面にリール４を回転駆動するマグネット式の回転駆動手段を吸引保持させるためのリールプレート８が取り付けられる。またリールハブ２３の底部内面には、ブレーキボタン９に形成された制止用ギア９Ａと係合して不使用時の回転を拘束する制止用ギア２３Ａが刻設されている。また、リールハブ２３には、磁気テープカートリッジ１を使用する外部記憶装置等の記録再生装置に設けられたドライブ解除スピンドルが挿通されてブレーキボタン９を上方へ移動させるための開口２３Ｂが形成されている。
【００１６】
ブレーキボタン９は、リールハブ２３と対向する側に上述した制止用ギア９Ａが形成されており、それとは反対側に上ケース２に形成されたブレーキガイド突起が嵌合される嵌合溝９Ｂが形成されている。そして、ブレーキボタン９はコイルバネ１０により図中下方に付勢された状態でリールハブ２３内部に装着されており、ブレーキボタン９とリールハブ２３との制止用ギア９Ａ，２３Ａが噛み合ってリール４の不使用時における回転が防止されている。一方、カートリッジ使用時は、前記ドライブ解除スピンドルがブレーキボタン９を押圧すると、ブレーキボタン９がコイルバネ１０の付勢力に抗して図中上方へ移動し、これにより制止用ギア９Ａ，２３Ａの係合が解除され、リール４が回転自在とされる。
【００１７】
カートリッジケース７の一側壁には、磁気テープ２０を引き出すための開口部２６が形成されている。開口部２６にはカートリッジケース７の側壁に平行な矢印Ａ方向に移動可能なスライドドア２７が取り付けられている。スライドドア２７は不図示のバネにより、開口部２６を閉じる方向に付勢されている。
【００１８】
また、磁気テープカートリッジ１はその不使用時に磁気テープ２０が完全にリール４に巻き込まれた状態で、磁気テープ２０の端部に取り付けられたリーダ手段としてのリーダピン２１が開口部２６の近傍に形成された凹部２８に係止される。
【００１９】
磁気テープカートリッジ１が対応する外部記録装置等の記録再生装置にセットされると、上述したようにブレーキボタン９とリールハブ２３との制止用ギア９Ａ，２３Ａの係止が解除されてリール４が回転自在とされると共に、マグネット式の回転駆動手段がリールプレート８を吸引した状態でリール４を回転駆動する。これと共に、スライドドア２７が開かれてリーダピン２１がテープ走行路の所定位置に引き込まれ、磁気テープ２０へのデータの読み書きが可能となる。
【００２０】
前記リーダピン２１（リーダ手段）は、磁気テープカートリッジ１を使用する記録再生装置が磁気テープ２０を装置内のテープ走行路に導入するために開口部２６を通して保持して引き込むものであり、このリーダピン２１を前記凹部２８に着脱可能に保持するロック用部材としてのバネ部材２９（参照）が設置されている。
【００２１】
そして、前記カートリッジケース７の開口部２６の内部近傍には、リール４の回転に伴って走行する磁気テープ２０の高さ方向（幅方向）の位置規制を行うテープ高さ規制手段３０が設置されている。図２は開口部近傍のカートリッジケース７の断面図、図３は下ケース３の開口部近傍の要部斜視図、図４は下ケース３の同要部平面図である。
【００２２】
前記テープ高さ規制手段３０は、上ケース２及び下ケース３の側壁から上壁又は下壁に開口部２６と略平行に延設されたテープ高さ規制リブ３１と、上ケース２及び下ケース３の側壁から所定の間隙をもって離れた位置の上壁又は下壁に立設された２つのテープ高さ規制ボス３２，３３とで構成されている。
【００２３】
前記テープ高さ規制リブ３１は、図４に示すようにリール４に磁気テープ２０が一杯に巻き取られて最大巻径となった状態におけるテープ走行経路Ｌ１と、リール４から磁気テープ２０が最も引き出された最小巻径の状態におけるテープ走行経路Ｌ２とにより囲まれたテープ走行領域の幅方向の全体に渡って延設され、その上壁又は下壁からの突出高さは図２に示すように上ケース２と下ケース３を接合した状態において上下のテープ高さ規制リブ３１，３１の間隔が、磁気テープ幅に所定の許容振れ幅を加えた寸法となるように設定されている。
【００２４】
なお、上記テープ高さ規制リブ３１は、前記テープ走行領域の幅方向の一部にのみかかるように設けてもよく、その場合には最大径側（側壁側）の一部に設けるのが好ましい。
【００２５】
また、前記テープ高さ規制リブ３１は、図３に１点鎖線で示すように湾曲形状に配設して、各巻き取り状態のテープ走行経路と直交するように設けてもよい。
【００２６】
一方、前記テープ高さ規制ボス３２，３３は、その高さが前記テープ高さ規制リブ３１と同等に形成され、先端面が磁気テープ２０の側辺と接触可能で最大巻径近傍のテープ走行状態におけるテープ振れ高さ規制作用を有する。
【００２７】
また、上記テープ高さ規制ボス３２，３３は、前記リーダピン２１（リーダ手段）を凹部２８内に保持するバネ部材２９（ロック用部材）の取り付けボスを兼ねている。
【００２８】
つまり、前記バネ部材２９は、前記リーダピン２１の磁気テープ２０より上下に突出した上下端部を係止するもので、板バネ又は線バネによる湾曲基部から２つの腕部が略平行に延びたヘアピン状の略Ｕ字形に形成され、一方の腕部の先端の山形突起がリーダピン２１に係止し、略直線状の他方の腕部が前記上下ケース２，３の側壁とテープ高さ規制ボス３２，３３との間の間隙に挿入され、湾曲基部が奥側のテープ高さ規制ボス３２を挟持して取り付けられる。
【００２９】
なお、奥側のテープ高さ規制ボス３２は円柱状で、開口側のテープ高さ規制ボス３３は長円形状で磁気テープ２０の高さ規制範囲が広くなるように設けている。また、テープ高さ規制手段３０としては、テープ高さ規制ボス３２，３３のみで形成してもよい。
【００３０】
前記のようなテープ高さ規制手段３０によって磁気テープ２０の高さ方向の変位を規制し、記録再生装置のテープガイドに対して安定した走行状態で引き出され又は巻き戻されて走行する。
【００３１】
なお、前記磁気テープカートリッジ１におけるリーダ手段としてはリーダピンのほかにリーダテープ、リーダブロック等の各種形態が採用可能であり、同様に、不使用時にリールの回転を拘束するブレーキ機構についても適宜設計変更可能であり、ロック用部材についても適宜設計変更可能である。
【図面の簡単な説明】
【００３２】
【図１】本発明の一つの実施の形態による磁気テープカートリッジの分解斜視図
【図２】開口部近傍のカートリッジケース構造を示す要部断面図
【図３】下ケースの開口部近傍の要部斜視図
【図４】下ケースの同要部平面図
【符号の説明】
【００３３】
１    磁気テープカートリッジ
２    上ケース
３    下ケース
４    リール
７    カートリッジケース
２０  磁気テープ
２１  リーダピン（リーダ手段）
２６  開口部
２８  凹部
２９  バネ部材（ロック用部材）
３０  テープ高さ規制手段
３１  テープ高さ規制リブ
３２，３３ テープ高さ規制ボス
【図１】
2007265610.tif 000003
【図２】
2007265610.tif 000004
【図３】
2007265610.tif 000005
【図４】
2007265610.tif 000006